(57)【要約】【課題】本発明は、噴射孔から飛翔し、記録紙などの被記録媒体上に着弾する液体噴射用液体であって、金属部材に対して十分な耐性を持つ水性液体噴射用液体の提供を目的とする。【解決手段】液体噴射用液体において、液体噴射用液体全量に対する含有量が０．１〜３重量％であるクラウンエーテルと、０．１〜５重量％のアミノカルボン酸と、着色剤と、水と、水溶性有機溶剤とを含む、という特徴を採用する。【選択図】図１
2016088999.tif 000002
【特許請求の範囲】
【請求項１】
液体噴射用液体全量に対して０．１〜３重量％のクラウンエーテルと、０．１〜５重量％のアミノカルボン酸と、着色剤と、水と、水溶性有機溶剤とを含む液体噴射用液体。
【請求項２】
前記クラウンエーテルが、１２−クラウン−４、１５−クラウン−５、１８−クラウン−６、２１−クラウン−７、２４−クラウン−８、およびそれらの誘導体から選択されることを特徴とする請求項１に記載の液体噴射用液体。
【請求項３】
前記アミノカルボン酸が、Ｌ−グルタミン酸二酢酸、ヒドロキシエチルイミノ二酢酸、ニトリロ三酢酸、ヒドロキシエチルエチレンジアミン三酢酸、エチレンジアミン四酢酸、グリコールエーテルジアミン四酢酸、シクロヘキサンジアミン四酢酸、ジエチレントリアミン五酢酸、トリエチレンテトラミン六酢酸、ジヒドロキシエチルグリシン、カルボキシメチルポリエチレンイミン、Ｌ−アスパラギン酸、エチレンジアミンコハク酸、ジカルボキシメチルグルタミン酸、およびそれらの塩から選択されることを特徴とする請求項１または２に記載の液体噴射用液体。
【請求項４】
請求項１〜３の何れか一項に記載の液体噴射用液体を使用する液体噴射ヘッドであって、圧電素子によって形成されたアクチュエータープレートと、前記アクチュエータープレートに液体を供給する液体室が形成された液体室プレートとを有することを特徴とする液体噴射ヘッド。
【請求項５】
請求項４に記載の液体噴射ヘッドを有する液体噴射記録装置であって、
被記録媒体を搬送する一対の搬送手段と、前記液体噴射ヘッドに液体噴射用液体を供給する液体供給手段と、
前記液体噴射ヘッドを被記録媒体の搬送方向と略直交する方向に走査させる走査手段とを備えることを特徴とする液体噴射記録装置。
【発明の詳細な説明】
【技術分野】
【０００１】
本発明は、噴射孔から飛翔し、記録紙などの被記録媒体上に着弾する液体噴射用液体であって、金属部材に対して十分な耐性を持つ水性液体噴射用液体、その液体を用いた液体噴射ヘッド及び液体噴射記録装置に関する。
【背景技術】
【０００２】
近年の液体噴射記録（インクジェット記録）方式は、印刷版を用意する必要のある印刷方式と異なり、一台の機械で様々なパターンを印字できることから、例えば梱包剤やポスター、車体のラッピングなど幅広い分野での利用が可能なものである。
【０００３】
従来、液体噴射記録方式としてはコンティニュアスタイプとオンデマンドタイプの２つの方式に大別することができる。コンティニュアスタイプは、例えば、液体噴射用液体（インク）を粒子状にして噴射し、帯電させた液体噴射用液体粒子の進行経路に電界を形成することにより、液体噴射用液体粒子を偏向させて対象物に記録することができるものなどが挙げられる。また、オンデマンドタイプは、例えば、液体噴射ヘッド（インクジェットヘッド）の噴射孔（ノズル）から画像に応じて液体噴射用液体を吐出させて、紙、フィルム、布帛等の被記録媒体に印字を行うものなどが挙げられる。
【０００４】
これらの液体噴射記録の長所としては、直接記録であるためにプロセスが簡単であることに加えて、インパクト方式ではないために無騒音である、カラー化が容易である、高速記録が可能である、普通紙が使用できるため低ランニングコストである、微小液体噴射用液滴を吐出させるために高解像度の記録が可能である等の優れた特徴が挙げられる（特許文献１）。
【０００５】
さらに、近年では省エネルギー、省資源への取り組みに関連して、液体噴射用液体に使用する材料についても脱石油資源化への取り組みが広がっており、環境にやさしい水性の液体噴射用液体が盛んに開発されている。
【０００６】
しかし、水溶性の液体は一般的に金属と反応を起こしやすく、液体噴射ヘッドにおいても、水性インクとヘッドの金属部材が接することにより、インク中に金属イオンが溶出し、金属塩が析出する場合がある。これにより、ヘッドノズルの目詰まりや印刷画質の劣化を引き起こす可能性がある。これを防止する方法として、インクの溶存酸素濃度を規定する技術が提案されている（特許文献２）。
【０００７】
クラウンエーテルは環の内側に金属イオンを取り込む特性を持つ。インクジェットの分野においても、この特性を活かし、ゴム部材からの溶出物を溶解安定化したり、特定の染料と併用することで画像の耐湿性を向上したりする目的で、これを添加する技術が提案されている（特許文献３〜４）。
【０００８】
また、アミノカルボン酸が金属塩を包み込む特性を持つことに着目し、筆記具の分野では金属塩の析出物を溶解安定化する目的で、インクにこれを添加する技術が提案されている（特許文献５）。
【先行技術文献】
【特許文献】
【０００９】
【特許文献１】特開平５−０６５４４３号公報
【特許文献２】特開２００７−１５３９４７号公報
【特許文献３】特開２００７−１６１９３５号公報
【特許文献４】特開２０１１−１２１４３号公報
【特許文献５】特開２０１１−３２４１３号公報
【発明の概要】
【発明が解決しようとする課題】
【００１０】
しかしながら、特許文献２の技術は、インクジェット用の水性インクについて溶存酸素量を高く保持する技術であるが、一般的に溶存酸素量は低く設定した方が出射性は安定するため、金属部材への耐性が期待できる一方で、出射性が不安定になる可能性がある。特許文献３〜４の技術は、クラウンエーテルの特性を生かし、インク中の金属イオンを軽減する技術であるが、いずれも金属部材への耐性向上を目的としたものではない。特許文献３は、対象がゴム部材であり、特許文献４は特定の染料に限定しているため汎用性に欠ける。次に、特許文献５の技術は、金属塩が析出してしまった場合にアミノカルボン酸がこれを包接することにより、金属塩を溶解安定化する技術であるが、筆記具用途であり、技術をそのまま液体噴射用液体に展開できない。
【００１１】
本発明は、噴射孔から飛翔し、記録紙などの被記録媒体上に着弾する液体噴射用液体であって、金属部材に対して十分な耐性を持つ水性液体噴射用液体の提供を目的とする。
【課題を解決するための手段】
【００１２】
上記目的を達成するために、本発明の液体噴射用液体は以下の手段を採用している。
本発明は、液体噴射用液体全量に対する含有量が０．１〜３重量％であるクラウンエーテルと、０．１〜５重量％のアミノカルボン酸と、着色剤と、水と、水溶性有機溶剤とを含む、という特徴を採用する。
【００１３】
この構成によれば、クラウンエーテルがインク中の余分な金属イオンを包接することで、インクの導電率が低下し、金属部材から金属イオンが溶出しにくくなり、結果的に金属塩が析出しにくくなる。また、クラウンエーテルを含んでいてもなお、金属塩が形成された場合でも、アミノカルボン酸がこれを包接することで、金属塩が溶解安定化するため析出を防止できる。クラウンエーテルとアミノカルボン酸を併用することで、金属塩の析出を阻止し、ヘッドノズルの目詰まりや印刷画質の劣化を防止することができる。
【００１４】
前記クラウンエーテルは、１２−クラウン−４、１５−クラウン−５、１８−クラウン−６、２１−クラウン−７、２４−クラウン−８、およびそれらの誘導体から選択されることを特徴とし、クラウンエーテルが液体噴射用液体全量に対して０．１〜３重量％含まれる、という構成を採用する。
【００１５】
前記アミノカルボン酸は、Ｌ−グルタミン酸二酢酸、ヒドロキシエチルイミノ二酢酸、ニトリロ三酢酸、ヒドロキシエチルエチレンジアミン三酢酸、エチレンジアミン四酢酸、グリコールエーテルジアミン四酢酸、シクロヘキサンジアミン四酢酸、ジエチレントリアミン五酢酸、トリエチレンテトラミン六酢酸、ジヒドロキシエチルグリシン、カルボキシメチルポリエチレンイミン、Ｌ−アスパラギン酸、エチレンジアミンコハク酸、ジカルボキシメチルグルタミン酸、およびそれらの塩から選択されることを特徴とし、アミノカルボン酸が液体噴射用液体全量に対して０．１〜５重量％含まれる、という構成を採用する。
【００１６】
クラウンエーテルの添加量は、液体噴射用液体全量に対して、０．１〜３重量％とすることが望ましい。また、アミノカルボン酸の添加量は、液体噴射用液体全量に対して、０．１〜５重量％とすることが望ましい。いずれも０．１重量％以下では金属部材に対する耐性を十分に高める効果は発揮されず、金属塩の析出を防止することは難しい。また、上限値以上添加しても、金属塩の析出を防止する効果は向上しないうえに、クラウンエーテルおよびアミノカルボン酸がインク中の他の成分と相溶しにくくなり、保存性が不安定になるため、これ以上の添加を要しない。
【００１７】
また、本発明に係る液体噴射用液体を使用する液体噴射ヘッドは、圧電素子によって形成されたアクチュエータープレートと、前記アクチュエータープレートに液体を供給する液体室が形成された液体室プレートとを有することを特徴としている。
この構成によれば、本発明に係る液体噴射用液体を液体噴射ヘッドを用いて被記録媒体に噴射し、所望の印字及び記録等の作業を実施することができる。
【００１８】
また、本発明に係る液体噴射ヘッドを有する液体噴射記録装置は、被記録媒体を搬送する一対の搬送手段と、前記液体噴射ヘッドに液体噴射用液体を供給する液体供給手段と、前記液体噴射ヘッドを被記録媒体の搬送方向と略直交する方向に走査させる走査手段とを備えることを特徴としている。
この構成によれば、本発明に係る液体噴射ヘッドを液体噴射記録装置に搭載することができる。この構成を採用したことによって、液体噴射用液体を供給する手段を備え、被記録媒体に連続的に液体噴射用液体を噴射し、所望の印字及び記録等の作業を実施することができる。
【発明の効果】
【００１９】
液体噴射用液体にクラウンエーテルを添加することによって、インク中の余分な金属イオンがクラウンエーテルに包接され、インクの導電率が低下し、金属部材から金属イオンが溶出しにくくなり、結果的に金属塩が析出しにくくなる。一般的に、他の物質を取り込む能力を持つ物質はホスト分子、取り込まれる物質はゲスト分子と称され、ホスト分子がゲスト分子を取り込むことを包接という。前記クラウンエーテルは（−ＣＨ2−ＣＨ2−Ｏ−）nで表記される大環状のエーテルであり、ホスト分子として、環の内側に金属イオンを包接する能力を有し、環の大きさに適合する金属イオンを選択的に捕捉することが可能である。
【００２０】
また、液体噴射用液体にアミノカルボン酸を添加することによって、クラウンエーテルを含んでいてもなお、金属塩が形成された場合でも、アミノカルボン酸が金属塩を包接し溶解安定化するため析出を防止できる。アミノカルボン酸は、アミノ基とカルボキシル基を有し、金属塩を包接し溶解安定化する作用を持つ。
【００２１】
クラウンエーテルの添加量を液体噴射用液体全量に対して０．１〜３重量％、アミノカルボン酸の添加量を０．１〜５重量％とすることで、金属部材に対して十分な耐性を発揮することができ、金属塩の析出を防止することができる。クラウンエーテルとアミノカルボン酸を併用することで、金属塩の析出を阻止し、ヘッドノズルの目詰まりや印刷画質の劣化を防止することができる。
【図面の簡単な説明】
【００２２】
【図１】本発明の実施例の含有成分を示す図である。
【図２】本発明の比較例の含有成分を示す図である。
【図３】本発明の実施例の評価を示す図である。
【図４】本発明の比較例の評価を示す図である。
【図５】本発明の液体噴射記録装置における液体噴射ヘッドを示す斜視図である。
【発明を実施するための形態】
【００２３】
着色剤としては、従来の水性インク組成物で使用される公知の染料又は顔料を使用できる。
染料としては、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントエローＧ（Ｃ．Ｉ．ダイレクトエロー４）、ダイレクトファストエロー５ＧＬ（Ｃ．Ｉ．ダイレクトエロー２６）、アイゼンプリムラエローＧＣＬＨ（Ｃ．Ｉ．ダイレクトエロー４４）、ダイレクトファストエローＲ（Ｃ．Ｉ．ダイレクトエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）等の直接染料；
【００２４】
アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドエロー７：１）、カヤシルエローＧＧ（Ｃ．Ｉ．アシッドエロー１７）、キシレンライトエロー２Ｇ１４０％（Ｃ．Ｉ．アシッドエロー１７）、スミノールレベリングエローＮＲ（Ｃ．Ｉ．アシッドエロー１９）、ダイワタートラジン（Ｃ．Ｉ．アシッドエロー２３）、カヤクタートラジン（Ｃ．Ｉ．アシッドエロー２３）、スミノールファストエローＲ（Ｃ．Ｉ．アシッドエロー２５）、ダイアシッドライトエロー２ＧＰ（Ｃ．Ｉ．アシッドエロー２９）、スミノールミリングエローＯ（Ｃ．Ｉ．アシッドエロー３８）、スミノールミリングエローＭＲ（Ｃ．Ｉ．アシッドエロー４２）、ウォーターエロー＃６（Ｃ．Ｉ．アシッドエロー４２）、カヤノールエローＮＦＧ（Ｃ．Ｉ．アシッドエロー４９）、スミノールミリングエロー３Ｇ（Ｃ．Ｉ．アシッドエロー７２）、スミノールファストエローＧ（Ｃ．Ｉ．アシッドエロー６１）、スミノールミリングエローＧ（Ｃ．Ｉ．アシッドエロー７８）、カヤノールエローＮ５Ｇ（Ｃ．Ｉ．アシッドエロー１１０）、スミノールミリングエロー４Ｇ２００％（Ｃ．Ｉ．アシッドエロー１４１）、カヤノールエローＮＧ（Ｃ．Ｉ．アシッドエロー１３５）、カヤノールミリングエロー５ＧＷ（Ｃ．Ｉ．アシッドエロー１２７）、カヤノールミリングエロー６ＧＷ（Ｃ．Ｉ．アシッドエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、カヤクアシッドローダミンＦＢ（Ｃ．Ｉ．アシッドレッド５２）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ウォーターピンク＃２（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、ウォーターブルー＃９（Ｃ．Ｉ．アシッドブルー９）、ダイワ青色１号（Ｃ．Ｉ．アシッドブルー９）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）等の酸性染料；
【００２５】
アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックレッド１２）、スミアクリルブリリアントレッドＥ−２Ｂ（Ｃ．Ｉ．ベーシックレッド１５）、アストラゾンレッドＧＴＬ（Ｃ．Ｉ．ベーシックレッド１８）、アイゼンカチロンブリリアントピンクＢＧＨ（Ｃ．Ｉ．ベーシックレッド２７）、マキシロンレッドＧＲＬ（Ｃ．Ｉ．ベーシックレッド４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）等の塩基性染料が例示できる。
【００２６】
顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料；黄土、バリウム黄、紺青、カドミウムレッド、硫酸バリウム、酸化チタン、弁柄、鉄黒、カーボンブラック等の無機系顔料が例示でき、例えば、アニリンブラック（Ｃ．Ｉ．５０４４０）、シアニンブラック、ナフトールエローＳ（Ｃ．Ｉ．１０３１６）、ハンザエロー１０Ｇ（Ｃ．Ｉ．１１７１０）、ハンザエロー５Ｇ（Ｃ．Ｉ．１１６６０）、ハンザエロー３Ｇ（Ｃ．Ｉ．１１６７０）、ハンザエローＧ（Ｃ．Ｉ．１１６８０）、ハンザエローＧＲ（Ｃ．Ｉ．１１７３０）、ハンザエローＡ（Ｃ．Ｉ．１１７３５）、ハンザエローＲＮ（Ｃ．Ｉ．１１７４０）、ハンザエローＲ（Ｃ．Ｉ．１２７１０）、ピグメントエローＬ（Ｃ．Ｉ．１２７２０）、ベンジジンエロー（Ｃ．Ｉ．２１０９０）、ベンジジンエローＧ（Ｃ．Ｉ．２１０９５）、ベンジジンエローＧＲ（Ｃ．Ｉ．２１１００）、パーマネントエローＮＣＧ（Ｃ．Ｉ．２００４０）、バルカンファストエロー５Ｇ（Ｃ．Ｉ．２１２２０）、バルカンファストエローＲ（Ｃ．Ｉ．２１１３５）、タートラジンレーキ（Ｃ．Ｉ．１９１４０）、キノリンエローレーキ（Ｃ．Ｉ．４７００５）、アンスラゲンエロー６ＧＬ（Ｃ．Ｉ．６０５２０）、パーマネントエローＦＧＬ、パーマネントエローＨ１０Ｇ、パーマネントエローＨＲ、アンスラピリミジンエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０）、パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０）、ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーン等が例示できる。
【００２７】
さらに、上記以外の加工顔料としては、Ｒｅｎｏｌ  Ｙｅｌｌｏｗ  ＧＧ−ＨＷ３０、Ｒｅｎｏｌ  Ｙｅｌｌｏｗ  ＨＲ−ＨＷ３０、Ｒｅｎｏｌ  Ｏｒａｎｇｅ  ＲＬ−ＨＷ３０、Ｒｅｎｏｌ  Ｒｅｄ  ＨＦ２Ｂ−ＨＷ３０、Ｒｅｎｏｌ  Ｒｅｄ  ＦＧＲ−ＨＷ３０、Ｒｅｎｏｌ  Ｒｅｄ  Ｆ５ＲＫ−ＨＷ３０、Ｒｅｎｏｌ  Ｃａｒｍｉｎｅ  ＦＢＢ−ＨＷ３０、Ｒｅｎｏｌ  Ｖｉｏｌｅｔ    ＲＬ−ＨＷ３０、Ｒｅｎｏｌ  Ｂｌｕｅ  Ｂ２Ｇ−ＨＷ３０、Ｒｅｎｏｌ  Ｂｌｕｅ  ＣＦ−ＨＷ３０、Ｒｅｎｏｌ  ＧｒｅｅｎＧＧ−ＨＷ３０、Ｒｅｎｏｌ  Ｂｒｏｗｎ  ＨＦＲ−ＨＷ３０、Ｒｅｎｏｌ  ＢｌａｃｋＲ−ＨＷ３０（以上、クラリアントジャパン株式会社製）、ＵＴＣＯ−００１エロー、ＵＴＣＯ−０１２エロー、ＵＴＣＯ−０２１オレンジ、ＵＴＣＯ−０３１レッド、ＵＴＣＯ−０３２レッド、ＵＴＣＯ−０４２バイオレット、ＵＴＣＯ−０５１ブルー、ＵＴＣＯ−０５２ブルー、ＵＴＣＯ−０６１グリーン、ＵＴＣＯ−５９１ブラック、ＵＴＣＯ−５９２ブラック（以上、大日精化工業株式会社製）、ＭＩＣＲＯＬＩＴＨ  Ｙｅｌｌｏｗ  ４Ｇ−Ａ、ＭＩＣＲＯＬＩＴＨ  Ｙｅｌｌｏｗ  ＭＸ−Ａ、ＭＩＣＲＯＬＩＴＨ  Ｙｅｌｌｏｗ  ２Ｒ−Ａ、ＭＩＣＲＯＬＩＴＨ  Ｂｒｏｗｎ５Ｒ−Ａ、Ｓｃａｒｌｅｔ  Ｒ−Ａ、Ｒｅｄ２Ｃ−Ａ、Ｒｅｄ３Ｒ−Ａ、Ｍａｇｅｎｔａ２Ｂ−Ａ、ＶｉｏｌｅｔＢ−Ａ、Ｂｌｕｅ４Ｇ−Ａ、ＧｒｅｅｎＧ−Ａ（以上、チバスペシャリティケミカルズ株式会社製）等が例示できる。
【００２８】
また、顔料として、あらかじめ水分散性を付与された市販品も使用できる。水分散性顔料として、より具体的には、キャボジェットシリーズ（キャボットコーポレーション製）、ｕｎｉｓｐｅｒｓｅシリーズ（チバスペシャリティケミカルズ株式会社製）、ＳＡＮＤＹＥシリーズ（山陽色素株式会社製）、Ｔ−ＡＸシリーズ（東亜合成株式会社製）、ＭＦカラーシリーズ（大日精化工業株式会社製）、ポルックスシリーズ（住化カラー株式会社製）、ＮＫＷシリーズ（日本蛍光化学株式会社製）、ＳＷ−１００シリーズ（シンロイヒ株式会社製）等が例示できる。
【００２９】
本発明の液体噴射用液体の着色剤に顔料を用いる場合には、顔料の分散性向上の為に、分散剤を使用してもよい。前記分散剤としては、高分子分散剤、アニオン系もしくはノニオン系の界面活性剤など、一般に顔料の分散剤として用いられるものが使用できる。一例として、高分子分散剤として、ポリアクリル酸、スチレン−アクリル酸共重合体、スチレン−マレイン酸共重合体、スチレン−無水マレイン酸共重合体、スチレン−メタクリル酸共重合体、アクリル酸−アクリロニトリル共重合体、ビニルナフタレン−アクリル酸共重合体、ビニルナフタレン−マレイン酸共重合体などの合成高分子等が挙げられる。
【００３０】
また、界面活性剤として、アルキル硫酸エステル塩、α−オレフィンスルホン酸塩、ポリオキシエチレンアルキルエーテル硫酸塩、アルキルベンゼンスルホン酸塩、Ｎ−アシルアミノ酸及びその塩、Ｎ−アシルメチルタウリン塩、アルキルスルホカルボン酸塩、ナフタレンスルホン酸塩、ナフタレンスルホン酸ホルマリン縮合物のナトリウム塩、アルキルリン酸塩、ポリオキシエチレンアルキルエーテルリン酸エステル塩などのアニオン性界面活性剤、ポリオキシエチレンアルキルエーテル類、ソルビタンアルキルエステル類、ポリオキシエチレンソルビタンアルキルエステル類等のノニオン性界面活性剤が挙げられる。これら高分子分散剤及び界面活性剤は、その１種または２種以上を選択し、併用しても使用できる。その使用量は、少ない場合は添加する目的である分散効果が弱く、多い場合は液体噴射用液体中の各組成物の溶解バランスを崩してしまい各種不具合が発生する懸念があるため、液体噴射用液体全量に対して０．１重量％以上１５重量％以下が好ましい。
【００３１】
クラウンエーテルは、１２−クラウン−４、１５−クラウン−５、１８−クラウン−６、２１−クラウン−７、２４−クラウン−８、およびそれらの誘導体から選択されるものであれば、特に制限は受けない。例えば、１５−クラウン５−エーテル（東京化成工業株式会社製、純度９７.０％以上）、１８−クラウン６−エーテル（東京化成工業株式会社製、純度９８.０％以上）、４´−カルボキシベンゾ−１５−クラウン５−エーテル（東京化成工業株式会社製、純度９３．０％以上）、２−（ヒドロキシメチル）−１８−クラウン６−エーテル（東京化成工業株式会社製、純度９３．０％以上）等が挙げられる。
【００３２】
アミノカルボン酸は、Ｌ−グルタミン酸二酢酸、ヒドロキシエチルイミノ二酢酸、ニトリロ三酢酸、ヒドロキシエチルエチレンジアミン三酢酸、エチレンジアミン四酢酸、グリコールエーテルジアミン四酢酸、シクロヘキサンジアミン四酢酸、ジエチレントリアミン五酢酸、トリエチレンテトラミン六酢酸、ジヒドロキシエチルグリシン、カルボキシメチルポリエチレンイミン、Ｌ−アスパラギン酸、エチレンジアミンコハク酸、ジカルボキシメチルグルタミン酸、およびそれらの塩から選択されるものであれば、特に制限は受けない。例えば、ＧＬＤＡ−４Ｎａ  ４０％水溶液（昭和電工株式会社製、Ｌ−グルタミン酸二酢酸四ナトリウム塩４０％）、キレストＥＡ（キレスト株式会社製、ヒドロキシエチルイミノ二酢酸９８％以上）、クレワットＯＨ３００（ナガセケムテックス株式会社製、ヒドロキシエチルエチレンジアミン三酢酸三ナトリウム塩９３．５％以上）、キレストＧＥＡ（キレスト株式会社製、グリコールエーテルジアミン四酢酸９７％以上）、クレワットＤＰ８０（ナガセケムテックス株式会社製、ジエチレントリアミン五酢酸五ナトリウム塩４０％以上）等が挙げられる。
【００３３】
金属部材への耐性を十分に保持することと、過剰な添加を防ぐためには、クラウンエーテルの添加量を液体噴射用液体全量に対して０．１〜３重量％、アミノカルボン酸の添加量を０．１〜５重量％となるように添加することが望ましい。
【００３４】
また、水溶性有機溶剤は、以下のものが例示されるが、これらに限定されるものではない。
例えば、エチレングリコール、ジエチレングリコール、トリエチレングリコール、プロピレングリコール、ジプロピレングリコール、トリプロピレングリコール、ブチレングリコール、チオジグリコール、ヘキシレングリコール等のアルキレングリコール類、ポリエチレングリコール、ポリプロピレングリコール等のポリアルキレングリコール類、グリセリン、１、３−ペンタンジオール、１、５−ペンタンジオール、１、３−ブタンジオール等の多価アルコール類、メチルアルコール、エチルアルコール、イソプロピルアルコール等の低級アルコール類、２−ピロリドン、Ｎ−メチル−２−ピロリドン、１、３−ジメチルイミダゾリジノン、ε−カプロラクタム等の含窒素複素環化合物類、エチレングリコールメチルエーテル、エチレングリコールエチルエーテル、エチレングリコールブチルエーテル、エチレングリコール−n−プロピルエーテル、ジエチレングリコールメチルエーテル、ジエチレングリコールエチルエーテル、ジエチレングリコールブチルエーテル、ジエチレングリコール−n−プロピルエーテル、ジエチレングリコール−n−ブチルエーテル、トリエチレングリコールメチルエーテル、テトラエチレングリコールメチルエーテル等のグリコールエーテル類が挙げられる。これらの水溶性有機溶剤は、単独または２種以上を併用することができる。
【００３５】
水溶性有機溶剤は、例えば、インクジェットヘッドのノズル先端部におけるインクの乾燥を防止したり、メディア定着後の浸透を調整したりする目的で含有される。その添加量は、液体噴射用液体全量に対して５重量％〜５０重量％とすることが好ましい。
【００３６】
本発明のインク組成物は、上記で説明した以外に、必要に応じてその他の添加剤を含有していても良い。前記その他の添加剤としては、例えば、消泡剤、防腐剤、酸化防止剤、防錆剤、発色助剤等の公知の添加剤が例示できる。
また、本発明のインク組成物において、クラウンエーテル、アミノカルボン酸、着色剤、分散剤、水溶性有機溶剤、その他添加剤以外の残部は水である。
【００３７】
液体噴射用液体を製造する方法は、液体噴射用液体組成物の製造方法としては従来知られている種々の方法が採用できる。例えば、ボールミル、ビーズミル、ロールミル、ヘンシェルミキサー、プロペラ撹拌機、ホモジナイザー、ホモミキサー、ニーダー等の装置を使用して作ることが出来る。更に濾過や遠心分離を行い粗大粒子や気体を除いても良い。製造時に加熱や冷却、加圧や減圧、不活性ガス置換をしても良い。また、内容物の溶解や分散を促進するため、液体噴射用液体自体を加熱放置したり、過熱しながら撹拌や分散したりすることも、液体噴射用液体の内容物の溶解や分散上好ましいことである。また、製造した液体噴射用液体を温度の低い状態（０〜３０℃）で保管したりすることは、インキ組成物の経時性能を劣化させないためにも好ましい。これらはそれぞれ単独で使用しても良いし、組み合わせて使用しても良い。
【００３８】
〔実施例〕
以下、本発明を実施例により詳細に説明する。実施例中の各成分を含有している箇所にのみ、図１において数字を記載している。実施例中の数字は「重量部」を示す。
〔比較例〕
次に、比較例を示す。比較例中の各成分を含有している箇所にのみ、図２において数字を記載している。図２において、−（ハイフン）で示す箇所は、その成分が含有されていないことを示す。比較例中の数字は「重量部」を示す。
【００３９】
〔組成成分〕
図１、図２の組成成分について、その詳細を説明する。
図１に示すように、実施例１〜２はそれぞれ、水溶性有機溶剤として、エチレングリコール、グリセリンおよび２−ピロリドンを含有し、主溶媒として水を含有し、クラウンエーテルとして１５−クラウン５−エーテルを含有し、アミノカルボン酸としてクワレットＯＨ３００を含有し、着色剤としてキャボジェット３００ブラック（顔料：１５重量％）を含有し、分散剤としてジョンクリル７１１（アクリル系樹脂）を含有している。
【００４０】
図２に示すように、比較例１〜５はそれぞれ、実施例１〜２と同じく水溶性有機溶剤として、エチレングリコール、グリセリンおよび２−ピロリドンを含有し、主溶媒として水を含有し、着色剤としてキャボジェット３００ブラック（顔料：１５重量％）を含有し、分散剤としてジョンクリル７１１（アクリル系樹脂）を含有している。ただし、比較例１はクラウンエーテルおよびアミノカルボン酸を含まない。比較例２はクラウンエーテルおよびアミノカルボン酸を含んでいるが、含有量が実施例１，２に比較して少ない。比較例３はクラウンエーテルおよびアミノカルボン酸を含んでいるが、含有量が実施例１，２に比較して多い。比較例４および５は、クラウンエーテルおよびアミノカルボン酸のうち一方を適量含むが、一方を含まない。
【００４１】
１５−クラウン５−エーテルは、純度９７％以上である（東京化成工業株式会社製）。クレワットＯＨ３００は、純度９３．５％以上のヒドロキシエチルエチレンジアミン三酢酸三ナトリウム塩である（ナガセケムテックス株式会社製）。キャボジェット３００ブラックは、カーボンブラック顔料が１５重量％である（キャボットコーポレーション製）。ジョンクリル７１１は、アクリル系樹脂である（ＢＡＳＦジャパン株式会社製）。
【００４２】
実施例１〜２で得た液体噴射用液体の金属部材に対する耐性、出射性、保存安定性の評価結果を図３において記載している。また、比較例１〜５で得た液体噴射用液体の評価結果を図４において記載している。保存安定性は、初期値からの粘度の変化量を示している。
【００４３】
（金属部材に対する耐性）
実施例１〜２、比較例１〜５の液体噴射用液体をステンレス缶に入れ、液体噴射ヘッドの部材である金属メッシュフィルターを浸漬し、４５℃で１ヶ月保管した。その後、金属メッシュフィルターの表面状態を顕微鏡観察し、析出物の有無を確認した。
○：析出物が無い
△：析出物が局所的に生成されている
×：金属部材の表面全体に析出物が生成している
実施例１〜２および比較例３は、クラウンエーテルおよびアミノカルボン酸を０．１％以上含んでいるため、析出物の生成は確認されなかった。
【００４４】
比較例１は、クラウンエーテルおよびアミノカルボン酸を含まないため、析出物が金属部材の表面全体に確認された。
比較例２は、クラウンエーテルおよびアミノカルボン酸を含んでいるものの、下限値を下回っているため、析出物が僅かに確認された。
比較例４および５は、クラウンエーテルおよびアミノカルボン酸のうち一方を適量含むが、一方を含まないため、析出物が僅かに確認された。
【００４５】
（出射性）
実施例１〜２、比較例１〜５の液体噴射用液体を液体噴射ヘッドに充填し、室温で１ヶ月保管した後、液体噴射用装置に搭載し、３６０ｄｐｉ、駆動周波数１４ｋＨｚの条件における出射性を比較した。
○：全ノズルにおいて正常に出射している
△：１〜５個のノズルにおいて、吐出抜けまたは偏向が確認される
×：６個以上のノズルにおいて、吐出抜けまたは偏向が確認される
実施例１、２は、クラウンエーテルおよびアミノカルボン酸を適量含んでいるため、全ノズル数において出射性に異常が見られなかった。
【００４６】
比較例１は、クラウンエーテルおよびアミノカルボン酸を含まないため、液体噴射ヘッド内の金属部材に析出物が生じたことにより、出射性に異常が見られたと考えられる。
比較例２は、クラウンエーテルおよびアミノカルボン酸を含んでいるものの、下限値を下回っているため、出射性に僅かな異常が見られたと考えられる。
【００４７】
比較例３は、クラウンエーテルおよびアミノカルボン酸を過剰に含んでいるため、１ヶ月保管している間に液体噴射用液体が変性してしまい、出射性に異常が見られたと考えられる。
比較例４および５は、クラウンエーテルおよびアミノカルボン酸のうち一方を適量含むが、一方を含まないため、出射性に僅かな異常が見られたと考えられる。
【００４８】
（保存安定性）
実施例１〜２、比較例１〜５の液体噴射用液体をガラス瓶に入れ、４５℃で１ヶ月静置後、粘度を測定し、初期値と比較した。
実施例１〜２、比較例１〜２、４〜５は、クラウンエーテルおよびアミノカルボン酸の含有量が上限値を下回っているため、粘度の変化量は初期値から±０．３ｍＰａ・ｓ以内である。
【００４９】
比較例３は、クラウンエーテルおよびアミノカルボン酸を過剰に含んでいるため、他成分との相溶性が悪くなり、粘度は初期値から２．５ｍＰａ・ｓ減少している。液体の粘度が２．５ｍＰａ・ｓも減少していると、液体噴射ヘッドから吐出する場合にインク滴が正常に形成されず、ノズル孔の近傍で飛沫が発生したり、空中に浮遊するサテライトを発生させてしまうという問題が有るため、液体噴射用の液体としては適切ではない。
【００５０】
以下、本発明の液体噴射用液体を使用する液体噴射ヘッド、および液体噴射ヘッドを搭載した液体噴射記録装置について図５を参照して説明する。
図５は、本実施形態の液体噴射記録装置の概略構成を示す斜視図である。図５に示すように、液体噴射記録装置１は、紙等の被記録媒体Ｓを搬送する一対の搬送手段２、３と、被記録媒体Ｓに液体を噴射する液体噴射ヘッド４と、液体噴射ヘッド４に液体を供給する液体供給手段５と、液体噴射ヘッド４を被記録媒体Ｓの搬送方向（主走査方向）と略直交する方向（副走査方向）に走査させる走査手段６とを備えている。また図示していないが、液体噴射記録装置１は搬送手段２、３、液体噴射ヘッド４、液体供給手段５、及び走査手段６などに対して制御信号を送受信して制御する制御部１００を備えている。以下、副走査方向をＸ方向、主走査方向をＹ方向、そしてＸ方向およびＹ方向にともに直交する方向をＺ方向として説明する。
【００５１】
一対の搬送手段２、３は、それぞれ副走査方向に延びて設けられたグリッドローラ２Ａ、３Ａと、グリッドローラ２Ａ、３Ａのそれぞれに平行に延びるピンチローラ２Ｂ、３Ｂと、詳細は図示しないがグリッドローラ２Ａ、３Ａを軸回りに回転動作させるモータ等の駆動機構とを備えている。
【００５２】
液体供給手段５は、液体噴射用液体が収容された液体収容体１０と、液体収容体１０と液体噴射ヘッド４とを接続する液体供給管１１とを備えている。液体収容体１０は、複数備えられており、具体的には、イエロー、マゼンタ、シアン、ブラックの４種類の液体噴射用液体が収容された液体タンク１０Ｙ、１０Ｍ、１０Ｃ、１０Ｂが並べて設けられている。液体貯留容器である液体タンク１０Ｙ、１０Ｍ、１０Ｃ、１０Ｂのそれぞれには図示しないポンプモーターＭが設けられており、液体供給管を通じて液体を液体噴射ヘッド４へ押圧移動できる。液体供給管１１は、液体噴射ヘッド４（キャリッジユニット１６）の動作に対応可能な可撓性を有するフレキシブルホースからなる。
【００５３】
走査手段６は、副走査方向（Ｘ方向）に延びて設けられた一対のガイドレール１５と、一対のガイドレール１５に沿って摺動可能なキャリッジユニット１６と、キャリッジユニット１６を副走査方向に移動させる駆動機構１７と、を備えている。駆動機構１７は、一対のガイドレール１５の間に配置された一対のプーリ１８と、一対のプーリ１８間に巻回された無端ベルト１９と、一方のプーリ１８を回転駆動させる駆動モータ２０とを備えている。
【００５４】
一対のプーリ１８は、一対のガイドレール１５の両端部間にそれぞれ配置されており、副走査方向に間隔をあけて配置されている。無端ベルト１９は一対のガイドレール１５間に配置されており、この無端ベルトにはキャリッジユニット１６が連結されている。キャリッジユニット１６の基端部には複数の液体噴射ヘッド４が搭載されており、具体的には、イエロー、マゼンタ、シアン、ブラックの４種類の液体噴射用液体に個別に対応する液体噴射ヘッド４Ｙ、４Ｍ、４Ｃ、４Ｂが副走査方向に並んで搭載されている。
【００５５】
液体噴射記録装置１のキャリッジユニット１６には、液体噴射ヘッド４が、長手方向（Ｙ方向）を主走査方向に一致させ、短手方向（Ｘ方向）を副走査方向に一致させて搭載されている。またキャリッジユニット１６には、複数の液体噴射ヘッド４がＸ方向に並んで搭載されている。そして、被記録媒体ＳをＹ方向に搬送し、キャリッジユニット１６をＸ方向に移動させつつ、液体噴射ヘッド４から液体噴射用液体を噴射する事で、被記録媒体に記録を行うようになっている。
【００５６】
液体噴射ヘッド４は、圧電素子によって形成された不図示のアクチュエータープレートと、当該アクチュエータープレートに液体を供給する液体室が形成された不図示の液体室プレートとによって構成されている。
【００５７】
液体噴射記録装置１のキャリッジユニット１６には、液体噴射ヘッド４が、長手方向（Ｙ方向）を主走査方向に一致させ、短手方向（Ｘ方向）を副走査方向に一致させて搭載されている。またキャリッジユニット１６には、複数の液体噴射ヘッド４がＸ方向に並んで搭載されている。そして、被記録媒体ＳをＹ方向に搬送し、キャリッジユニット１６をＸ方向に移動させつつ、液体噴射ヘッド４から液体噴射用液体を噴射することで、被記録媒体に記録を行うようになっている。
【符号の説明】
【００５８】
１  液体噴射記録装置
２  搬送手段
４、４Ｃ、４Ｙ、４Ｍ、４Ｂ  液体噴射ヘッド
Ｓ  被記録媒体
【図１】
2016088999.tif 000003
【図２】
2016088999.tif 000004
【図３】
2016088999.tif 000005
【図４】
2016088999.tif 000006
【図５】
2016088999.tif 000007